(57)【要約】      （修正有）【課題】ラインプリンタ等の構成において、装置の大型化やコストの上昇を適切に抑える構成を提供する。【解決手段】インクジェット方式で印刷を行う印刷装置１０であって、媒体搬送手段である搬送駆動部１６と、搬送方向に沿って並べて配設される複数のインク吐出部１０２と、複数の定着手段である複数の紫外線光源１０４とを備え、それぞれのインク吐出部は、搬送方向に沿って並べて配設される複数のインクジェットヘッド２０２を有し、複数の紫外線光源のそれぞれは、いずれかのインク吐出部に対して搬送方向の下流側に配設されることで、一つのインク吐出部における複数のインクジェットヘッドと対向する位置を媒体５０が通過した後に、当該インク吐出部により吐出されたインクを媒体５０に定着させる。【選択図】図１
2020032678.tif 000002
【特許請求の範囲】
【請求項１】
インクジェット方式で印刷を行う印刷装置であって、
印刷対象の媒体を予め設定された搬送方向へ搬送する媒体搬送手段と、
前記搬送方向に沿って並べて配設される複数のインク吐出部と、
前記媒体にインクを定着させる複数の定着手段と
を備え、
それぞれのインク吐出部は、互いに異なる色のインクを吐出する複数のインクジェットヘッドを有し、
それぞれのインク吐出部における前記複数のインクジェットヘッドは、前記搬送方向に沿って並べて配設され、
前記複数の定着手段のそれぞれは、いずれかの前記インク吐出部に対して前記搬送方向の下流側に配設されることで、一つの前記インク吐出部における前記複数のインクジェットヘッドと対向する位置を前記媒体が通過した後に、当該インク吐出部により吐出されたインクを前記媒体に定着させることを特徴とする印刷装置。
【請求項２】
それぞれの前記インク吐出部におけるそれぞれの前記インクジェットヘッドが吐出するインクは、溶媒が蒸発することにより前記媒体に定着し、かつ、所定のエネルギー線を吸収することで発熱するインクであり、
前記複数の定着手段のそれぞれは、前記媒体上のインクへ前記エネルギー線を照射することにより、前記媒体上のインクを加熱することを特徴とする請求項１に記載の印刷装置。
【請求項３】
それぞれの前記インク吐出部におけるそれぞれの前記インクジェットヘッドは、印刷の解像度に応じて設定される吐出位置に対してインクを吐出し、
一つの前記インク吐出部における前記複数のインクジェットヘッドは、同じ前記吐出位置において異なる色のインクのドットが重ならないように、インクを吐出することを特徴とする請求項１又は２に記載の印刷装置。
【請求項４】
前記複数のインク吐出部として、少なくとも、
混色により減法混色法での色の表現が原理的に可能になる基本色である１次色の色のインクをそれぞれが吐出する前記複数のインクジェットヘッドを有する第１の前記インク吐出部と、
複数の前記１次色の混色により原理的に得られる色である２次色の色のインクをそれぞれが吐出する前記複数のインクジェットヘッドを有する第２の前記インク吐出部と
を備えることを特徴とする請求項１から３のいずれかに記載の印刷装置。
【請求項５】
前記複数のインク吐出部として、少なくとも、
イエロー色、マゼンタ色、及びシアン色のそれぞれの色のインクをそれぞれが吐出する前記複数のインクジェットヘッドを有する第１の前記インク吐出部と、
レッド色、グリーン色、及びブルー色のそれぞれの色のインクをそれぞれが吐出する前記複数のインクジェットヘッドを有する第２の前記インク吐出部と
を備えることを特徴とする請求項１から４のいずれかに記載の印刷装置。
【請求項６】
前記第２のインク吐出部は、前記搬送方向において、前記第１のインク吐出部よりも上流側に配設されることを特徴とする請求項４又は５に記載の印刷装置。
【請求項７】
前記複数のインク吐出部のうち、いずれかの前記インク吐出部は、ブラック色のインクを吐出するインクジェットヘッドを有し、
前記ブラック色のインクを吐出するインクジェットヘッドを有する前記インク吐出部は、前記搬送方向において、他のいずれかの前記インク吐出部よりも上流側に配設されることを特徴とする請求項１から６のいずれかに記載の印刷装置。
【請求項８】
少なくともいずれかの色のインクとして、色の濃さが相対的に濃い濃インクと、色の濃さが相対的に薄い淡インクとを用い、
前記濃インク及び前記淡インクを用いる色について、前記濃インクを吐出する前記インクジェットヘッドを有する前記インク吐出部は、前記淡インクを吐出する前記インクジェットヘッドを有する前記インク吐出部と異なることを特徴とする請求項１から７のいずれかに記載の印刷装置。
【請求項９】
前記濃インクを吐出する前記インクジェットヘッドを有する前記インク吐出部は、前記搬送方向において、同じ色の前記淡インクを吐出する前記インクジェットヘッドを有する前記インク吐出部よりも上流側に配設されることを特徴とする請求項８に記載の印刷装置。
【請求項１０】
インクジェット方式で印刷を行う印刷方法であって、
印刷対象の媒体を予め設定された搬送方向へ搬送しつつ、
前記搬送方向に沿って並べて配設される複数のインク吐出部から前記媒体へインクを吐出して、
複数の定着手段により、前記媒体にインクを定着させ、
それぞれのインク吐出部は、互いに異なる色のインクを吐出する複数のインクジェットヘッドを有し、
それぞれのインク吐出部における前記複数のインクジェットヘッドは、前記搬送方向に沿って並べて配設され、
前記複数の定着手段のそれぞれは、いずれかの前記インク吐出部に対して前記搬送方向の下流側に配設されることで、一つの前記インク吐出部における前記複数のインクジェットヘッドと対向する位置を前記媒体が通過した後に、当該インク吐出部により吐出されたインクを前記媒体に定着させることを特徴とする印刷方法。
【発明の詳細な説明】
【技術分野】
【０００１】
本発明は、印刷装置及び印刷方法に関する。
【背景技術】
【０００２】
従来、インクジェット方式で印刷を行う印刷装置であるインクジェットプリンタが広く用いられている。また、近年、インクジェットプリンタにより高精彩な印刷を行うための方法として、イエロー色（Ｙ色）、マゼンタ色（Ｍ色）、シアン色（Ｃ色）、及びブラック色（Ｋ色）のインクに加え、レッド色（Ｒ色）、グリーン色（Ｇ色）、及びブルー色（Ｂ色）のインクを加えた７色以上のインクを用いて印刷を行う方法である７色分版方式で印刷を行うこと等も検討されている（例えば、特許文献１参照。）。また、従来、高速な印刷を行う用途や布の媒体への印刷を行うテキスタイルプリンタの用途において、ライン型の構成のインクジェットプリンタであるラインプリンタの実用化が進んでいる。ラインプリンタにおいては、例えば、印刷領域の幅（プリンタ幅）分の長さを有する広幅で高解像度のインクジェットヘッドを用い、印刷対象の媒体（メディア）を搬送しつつインクジェットヘッドからインクを吐出することで、媒体の各位置の上を１回だけインクジェットヘッドが通過する１パスの方法で印刷を行う。
【先行技術文献】
【特許文献】
【０００３】
【特許文献１】特開２０１６−１３５５７７号公報
【発明の概要】
【発明が解決しようとする課題】
【０００４】
ラインプリンタで印刷を行う場合にも、７色分版方式で印刷を行うことで、より高精彩な印刷を行うことが可能になる。しかし、ラインプリンタの構成においては、通常、一つのインクジェットヘッド（１色用のインクジェットヘッド）に対してインクの定着手段を一つ設け、搬送方向へ並べて配設する。そして、この場合、単純に７色分版方式を採用すると、多数のインクジェットヘッド及び定着手段が媒体の搬送方向に沿って並ぶことで、装置の大型化やコストの上昇の問題が顕著になるおそれがある。また、より高品質な印刷を行おうとする場合、少なくとも一部の色のインクとして、色の濃さが相対的に薄い淡インク（ライトインク）を併用すること等も考えられる。そして、このような場合、装置の大型化やコストの上昇の問題が更に顕著になると考えられる。そのため、従来、ラインプリンタ等の構成として、大型化等の問題をより適切に防ぎ得る構成が望まれていた。そこで、本発明は、上記の課題を解決できる印刷装置及び印刷方法を提供することを目的とする。
【課題を解決するための手段】
【０００５】
インクジェットプリンタにおいて、カラー印刷を行う場合、通常、複数の色のインクのドットを媒体上に形成することで、減法混色法の原理により、様々な色を表現する。しかし、この場合、液体の状態の異なる色のインクが媒体上で接触すると、インクに滲み（色間滲み）が発生して、印刷の品質が低下する場合がある。そのため、ラインプリンタで印刷を行う場合には、通常、上記においても説明をしたように、各インクジェットヘッドの間にインクの定着手段（例えば、加熱手段）を配設し、各インクジェットヘッドにより媒体上に吐出されたインクについて、次のインクジェットヘッドにより次のインクが吐出されるまでの間に、媒体に定着させる。そして、この場合、７色分版方式のように、多数のインクジェットヘッドを用いると、インクジェットヘッドの数に応じて、使用する定着手段の数も増加することになる。また、その結果、装置の大型化やコストの上昇を招くことになる。
【０００６】
これに対し、本願の発明者は、７色分版方式で印刷を行う場合に関し、媒体上で混色させる必要がある色の組み合わせが限定されることで、原理上、媒体の同じ位置（吐出位置）に吐出されない色の組み合わせが存在することに着目をした。より具体的に、例えば、ＹＭＣＫの４色のみのインクを用いる場合において、様々な色を表現するためには、有彩色であるＹＭＣの各色のインクについて、全ての組み合わせで、媒体上の同じ位置に２色以上のインクを重ねて吐出することが必要になる。しかし、ＹＭＣＫ及びＲＧＢの７色のインクを用いる場合、１次色であるＹＭＣの２色を組み合わせた２次色であるＲＧＢのインクが存在するため、ＹＭＣの各色のインクについては、原理上、媒体の同じ位置に吐出する必要がなくなる。また、この場合、１次色の各色は、２次色の２色を組み合わせた色になっている。そのため、ＲＧＢの各色のインクについても、原理上、媒体の同じ位置に吐出する必要がなくなる。
【０００７】
そして、この場合、ＹＭＣ又はＲＧＢの各色のインクについては、必ずしも１色のインク毎に媒体に定着させなくても、色間滲み等の発生を適切に抑えることが可能になる。そこで、本願の発明者は、これらの複数色のインク用の複数のインクジェットヘッドに対し、個別に定着手段を配設するのではなく、複数のインクジェットヘッドの下流側（媒体の搬送方向における下流側）に、まとめて一つの定着手段を配設することを考えた。このように構成した場合も、媒体の同じ位置にインクを吐出しない色のグループ毎に定着手段を配設すれば、色間滲み等の発生を適切に防ぐことができる。また、この場合、使用する定着手段の数が少なくなることで、装置の大型化やコストの上昇を適切に抑えることが可能になる。
【０００８】
また、本願の発明者は、更なる鋭意研究により、このような効果を得るために必要な特徴を見出し、本発明に至った。上記の課題を解決するために、本発明は、インクジェット方式で印刷を行う印刷装置であって、印刷対象の媒体を予め設定された搬送方向へ搬送する媒体搬送手段と、前記搬送方向に沿って並べて配設される複数のインク吐出部と、前記媒体にインクを定着させる複数の定着手段とを備え、それぞれのインク吐出部は、互いに異なる色のインクを吐出する複数のインクジェットヘッドを有し、それぞれのインク吐出部における前記複数のインクジェットヘッドは、前記搬送方向に沿って並べて配設され、前記複数の定着手段のそれぞれは、いずれかの前記インク吐出部に対して前記搬送方向の下流側に配設されることで、一つの前記インク吐出部における前記複数のインクジェットヘッドと対向する位置を前記媒体が通過した後に、当該インク吐出部により吐出されたインクを前記媒体に定着させることを特徴とする。
【０００９】
このように構成した場合、例えば、ラインプリンタ等の構成において、装置の大型化やコストの上昇を適切に抑えることができる。そのため、このように構成すれば、例えば、ラインプリンタ等において、７色分版方式のような多数のインクジェットヘッドを用いた印刷をより適切に行うことが可能になる。また、これにより、ラインプリンタ等において、高精細な印刷をより適切に行うことができる。
【００１０】
また、この構成において、定着手段に関し、一つのインク吐出部における複数のインクジェットヘッドと対向する位置を媒体が通過した後にインクを媒体に定着させるとは、例えば、インクを定着させるための動作について、媒体の各部が一つのインク吐出部における複数のインクジェットヘッドと対向する位置を通過した後に実行することである。また、この構成において、インクとしては、例えば、溶媒が蒸発することにより媒体に定着するインクを用いることが考えられる。この場合、定着手段としては、例えば、インクを加熱する加熱手段を用いることが考えられる。そして、この場合、定着手段は、例えば、インク吐出部において複数のインクジェットヘッドが並んでいる範囲では加熱を行わず、インク吐出部の下流側でインクを加熱することで、媒体にインクを定着させる。
【００１１】
また、この構成において、インクとしては、例えば、瞬間乾燥型のインク等を好適に用いることができる。瞬間乾燥型のインクとは、例えば、所定のエネルギー線を吸収することで発熱するインクのことである。この場合、複数の定着手段のそれぞれは、媒体上のインクへエネルギー線を照射することにより、媒体上のインクを加熱する。このように構成すれば、例えば、媒体上に液体の状態で存在するインクの量が多い場合にも、短時間で適切にインクを乾燥させることができる。
【００１２】
また、この構成において、それぞれのインク吐出部におけるそれぞれのインクジェットヘッドは、例えば、印刷の解像度に応じて設定される吐出位置に対してインクを吐出する。また、この場合において、一つのインク吐出部が有する複数のインクジェットヘッドとしては、例えば、媒体上で混色させる必要がない色の組み合わせのインクジェットヘッドを選択することが考えられる。この場合、一つのインク吐出部における複数のインクジェットヘッドは、例えば、同じ吐出位置において異なる色のインクのドットが重ならないように、インクを吐出することになる。このように構成すれば、例えば、色間滲み等が発生することを適切に防ぐことができる。
【００１３】
また、より具体的に、複数のインク吐出部としては、例えば、少なくとも、１次色の色のインクをそれぞれが吐出する複数のインクジェットヘッドを有する第１のインク吐出部と、２次色の色のインクをそれぞれが吐出する複数のインクジェットヘッドを有する第２のインク吐出部とを用いることが考えられる。この場合、１次色とは、例えば、混色により減法混色法での色の表現が原理的に可能になる基本色のことである。２次色とは、例えば、複数の１次色の混色により原理的に得られる色のことである。また、更に具体的に、この場合、第１のインク吐出部における複数のインクジェットヘッドとしては、例えば、イエロー色（Ｙ色）、マゼンタ色（Ｍ色）、及びシアン色（Ｃ色）のそれぞれの色のインクをそれぞれが吐出する複数のインクジェットヘッドを用いることが考えられる。また、第２のインク吐出部における複数のインクジェットヘッドとしては、例えば、レッド色（Ｒ色）、グリーン色（Ｇ色）、及びブルー色（Ｂ色）のそれぞれの色のインクをそれぞれが吐出する複数のインクジェットヘッドを用いることが考えられる。このように構成すれば、例えば、ラインプリンタ等の構成において、装置の大型化やコストの上昇をより適切に抑えることができる。
【００１４】
また、ラインプリンタ等において印刷を行う場合、各色のインクのドットが順番に重なる構成であるため、より後で吐出するインクについて、粒状感への影響がより大きいと考えることができる。そのため、この場合、粒状感が目立ちやすくなる色のインクについて、他の色のインクよりも先に媒体へ吐出することが好ましい。また、この点に関し、１次色及び２次色のインクを用いる場合、通常、２次色のインクの方が、１次色のインクよりも、粒状感が目立ちやすくなる。そのため、上記のような第１及び第２のインク吐出部を用いる場合、第２のインク吐出部について、搬送方向において第１のインク吐出部よりも上流側に配設することが好ましい。このように構成すれば、例えば、印刷結果において粒状感が目立つことをより適切に防ぐことができる。
【００１５】
また、７色分版方式で印刷を行う場合等には、１次色及び２次色のインクに加え、３次色であるブラック色（Ｋ色）のインクを更に用いることが考えられる。そして、この場合、ブラック色のインクについては、特に粒状感への影響が大きくなると考えられる。そのため、この場合、ブラック色用のインクジェットヘッドを有するインク吐出部について、少なくとも、搬送方向における最下流以外の位置に配設することが好ましい。より具体的に、この場合、複数のインク吐出部のうち、いずれかのインク吐出部は、ブラック色のインクを吐出するインクジェットヘッドを有する。そして、ブラック色のインクを吐出するインクジェットヘッドを有するインク吐出部については、搬送方向において他のいずれかのインク吐出部よりも上流側に配設することが好ましい。このように構成すれば、例えば、印刷結果において粒状感が目立つことをより適切に防ぐことができる。
【００１６】
また、粒状感を抑えるためには、例えば、少なくともいずれかの色のインクとして、色の濃さが相対的に濃い濃インクと、色の濃さが相対的に薄い淡インク（ライトインク）とを用いることも考えられる。また、この場合、同じ色の濃インク及び淡インクについては、原理上、同じ吐出位置へ吐出される可能性のあるインクになる。そのため、この場合、濃インク及び淡インクを用いる色について、濃インクを吐出するインクジェットヘッドを有するインク吐出部と、淡インクを吐出するインクジェットヘッドを有するインク吐出部とを異ならせることが好ましい。このように構成すれば、例えば、淡インクを用いた印刷をより適切に行うことができる。
【００１７】
また、この場合、同じ色の濃インクと淡インクとを比べると、濃インクの方が、粒状感への影響が大きいことになる。そのため、濃インクを吐出するインクジェットヘッドを有するインク吐出部については、搬送方向において、同じ色の淡インクを吐出するインクジェットヘッドを有するインク吐出部よりも上流側に配設することが好ましい。このように構成すれば、例えば、印刷結果において粒状感が目立つことをより適切に防ぐことができる。
【００１８】
また、本発明の構成として、上記と同様の特徴を有する印刷方法等を用いることも考えられる。この場合も、例えば、上記と同様の効果を得ることができる。
【発明の効果】
【００１９】
本発明によれば、例えば、ラインプリンタ等の構成において、装置の大型化やコストの上昇を適切に抑えることができる。
【図面の簡単な説明】
【００２０】
【図１】本発明の一実施形態に係る印刷装置１０の構成の一例を示す図である。図１（ａ）、（ｂ）は、印刷装置１０の側面図及び上面図である。
【図２】複数のヘッド部１２の構成の変形例を示す図である。図２（ａ）、（ｂ）は、本変形例における複数のヘッド部１２の構成の一例を示す側面図及び上面図である。
【図３】複数のヘッド部１２の構成の更なる変形例を示す図である。図３（ａ）、（ｂ）は、本変形例における複数のヘッド部１２の構成の一例を示す側面図及び上面図である。
【図４】媒体５０上へ各色のインクが着弾する順番を考慮した場合の複数のヘッド部１２の構成の変形例を示す図である。図４（ａ）、（ｂ）は、このような変形例の構成をそれぞれ示す側面図である。
【図５】ライン方式でのインクジェットヘッドの配置について説明をする図である。
【図６】ＹＭＣの３色のインクのみを用いて様々な色を表現する場合について、各色のインクの吐出量の比率の例を示す図である。
【図７】インクジェットヘッドの配置とインクの色との関係の例を示す図である。
【発明を実施するための形態】
【００２１】
以下、本発明に係る実施形態を、図面を参照しながら説明する。図１は、本発明の一実施形態に係る印刷装置１０の構成の一例を示す。図１（ａ）、（ｂ）は、印刷装置１０の側面図及び上面図である。尚、以下において説明をする点を除き、印刷装置１０は、公知のインクジェットプリンタと同一又は同様の特徴を有してよい。また、印刷装置１０は、図示した構成以外に、公知のインクジェットプリンタと同一又は同様の様々な構成を更に備えてもよい。
【００２２】
最初に、本例の印刷装置１０において用いるインクについて、説明をする。本例において、印刷装置１０は、シアン色（Ｃ色）、マゼンタ色（Ｍ色）、イエロー色（Ｙ色）、ブラック色（Ｋ色）、ブルー色（Ｂ色）、グリーン色（Ｇ色）、及びレッド色（Ｒ色）の７色のインクを用いて、７色分版方式での印刷を行う。この場合、ＣＭＹの各色については、１次色の一例と考えることができる。１次色とは、例えば、混色により減法混色法での色の表現が原理的に可能になる基本色のことである。また、ＲＧＢの各色については、２次色の一例と考えることができる。２次色とは、例えば、複数の１次色の混色により原理的に得られる色のことである。また、Ｋ色については、３次色の一例と考えることができる。３次色とは、例えば、全ての１次色の混色又は全ての２次色の混色により原理的に得られる色のことである。また、上記のような７色を用いる場合、２次色の各色について、例えば、２つの１次色の中間の色と考えることもできる。そして、この場合、上記のような７色を用いる７色分版方式について、原理的に完全な７色分版方式（完全７色分版方式）等と考えることもできる。
【００２３】
また、７色分版方式で印刷を行う場合、１次色であるＹＭＣの各色以外に２次色であるＲＧＢの各色のインクを用いることで、例えばＹ色とＭ色の混色で得られるＲ色を直接表現できることになり（１Ｙ＋１Ｍ＝１Ｒ）、演色性を高めることが可能になる。しかし、この場合、印刷時に形成されるインクのドットの数（画素数）が少なくなり、かつ、色の濃い２次色のドットが形成されることで、インクのドットの粒子が目立って画素が粗いように視認される場合がある。また、その結果、粒状感が高まり、印刷の品質（画質）が低下したように感じられる場合もある。これに対し、粒状感を抑えるためには、単に７色分版方式で印刷を行うのではなく、少なくとも一部の色について、色の濃さが相対的に濃い濃インクと、色の濃さが相対的に薄い淡インク（ライトインク）とを用いることが考えられる。また、より具体的に、本例においては、ＲＧＢＫの各色について、淡インクを用いる。
【００２４】
また、本例において、各色のインクとしては、溶媒が蒸発することで印刷対象の媒体５０に定着する蒸発乾燥型のインクを用いる。この場合、上記の各色のインクは、例えば、各色の色材と、溶媒とを含む。また、この場合、溶媒を重量比で５０％以上含むインクを用いることが考えられる。また、本例において、各色の蒸発乾燥型のインクとしては、瞬間乾燥型のインクを用いる。瞬間乾燥型のインクとは、例えば、所定のエネルギー線を吸収することで発熱するインクのことである。また、更に具体的に、本例においては、各色のインクとして、紫外線を吸収することで発熱する瞬間乾燥型のインクを用いる。この場合、例えば、紫外線を吸収することで発熱する紫外線吸収剤等を更に含むインクを用いることが考えられる。また、例えば色材等のインクの成分が紫外線を吸収して発熱する場合、その成分について、紫外線吸収剤を兼ねていると考えることもできる。また、瞬間乾燥型のインクとしては、例えば、国際公開第２０１７／１３５４２５号公報に開示されているインクと同一又は同様のインクを用いることが考えられる。
【００２５】
続いて、上記のようなインクを用いて印刷を行う印刷装置１０の構成について、説明をする。本例において、印刷装置１０は、インクジェットヘッドの位置を固定して媒体５０を搬送しつつインクジェット方式で印刷を行うライン型のインクジェットプリンタ（ラインプリンタ）である。この場合、ライン型のインクジェットプリンタとは、例えば、印刷に使用する各色用のインクジェットヘッドが印刷装置１０において予め設定された媒体５０の搬送方向（メディア移動方向、以下、単に搬送方向という）に沿って一直線上に並ぶことである。また、本例において、印刷に使用する各色用のインクジェットヘッドとは、印刷に使用する全てのインクジェットヘッドのことである。
【００２６】
また、本例において、印刷装置１０は、複数のヘッド部１２、プラテン１４、搬送駆動部１６、赤外線ヒータ１８、及び制御部２０を備える。ヘッド部１２は、少なくとも１個のインクジェットヘッドと、インクの定着手段とを含む部分である。ヘッド部１２については、例えば、媒体５０へのインクの吐出を行う単位となる構成等と考えることができる。また、本例において、複数のヘッド部１２は、搬送方向に沿って並べて配設される。また、それぞれのヘッド部１２は、インクジェットヘッドにより媒体５０へインクを吐出し、その後に媒体５０上のインクへ紫外線を照射することで、それぞれのヘッド部１２において媒体５０へ吐出したインクについて、次のヘッド部１２の位置へ媒体５０の各部が到達する前に、媒体５０に定着させる。それぞれのヘッド部１２のより具体的な構成については、後に更に詳しく説明をする。
【００２７】
プラテン１４は、複数のヘッド部１２と対向する位置において上面に媒体５０を支持する台状部材である。搬送駆動部１６は、媒体５０を搬送する媒体搬送手段の一例であり、例えば図示を省略したローラ等を用いて、搬送方向へ媒体５０を搬送する。本例において、搬送駆動部１６は、媒体５０を一定の速度で搬送することにより、媒体５０の各位置について、複数のヘッド部１２のそれぞれと順番に対向させる。また、この場合、搬送駆動部１６は、例えばヘッド部１２における各インクジェットヘッドからインクを吐出するタイミングにおいても搬送を停止させずに一定の速度で媒体５０を搬送し続けることで、媒体５０の各部に対し、それぞれのヘッド部１２におけるそれぞれのインクジェットヘッドにインクを吐出させる。
【００２８】
赤外線ヒータ１８は、搬送方向において複数のヘッド部１２よりも下流側で媒体５０を加熱するヒータ（アフターヒータ）である。赤外線ヒータ１８を用いることにより、媒体５０上のインクをより確実に乾燥させることができる。また、上記においても説明をしたように、本例において、インクとしては、紫外線の照射により発熱する瞬間乾燥型のインクを用いる。そして、それぞれのヘッド部１２においては、紫外線を照射することにより、インクを直接的に加熱する。これに対し、赤外線ヒータ１８は、媒体５０の全体を加熱することにより、ヘッド部１２とは異なる方法で、媒体５０上のインクを間接的に加熱する。このように構成した場合、印刷装置１０において、複数の方法でインクを乾燥させることができる。また、これにより、例えば、インクをより確実に乾燥させることができる。
【００２９】
制御部２０は、例えば印刷装置１０のＣＰＵであり、印刷装置１０の各部の動作を制御することにより、印刷装置１０に印刷の動作を実行させる。また、この場合、制御部２０は、例えば、それぞれのヘッド部１２におけるそれぞれのインクジェットヘッドがインクを吐出するタイミングについて、印刷する画像に応じて制御をすることで、印刷の動作の制御を行う。
【００３０】
続いて、それぞれのヘッド部１２のより具体的な構成について、説明をする。本例において、それぞれのヘッド部１２は、図１（ｂ）において符号を付して示すように、インク吐出部１０２及び紫外線光源１０４を有する。インク吐出部１０２は、ヘッド部１２におけるインクジェットヘッド２０２により構成される部分である。また、本例において、それぞれのヘッド部１２におけるインク吐出部１０２は、互いに異なる色のインクを吐出する複数のインクジェットヘッド２０２を有する。
【００３１】
より具体的に、図１に示す構成の場合、搬送方向の最上流側のヘッド部１２は、図中にアルファベットの記号で示すように、Ｃ色、Ｍ色、Ｙ色、及びＫ色の各色用の複数のインクジェットヘッド２０２を有する。また、これらのインクジェットヘッド２０２は、図中に示すように、上記の順番で、搬送方向に沿って並べて配設される。また、この場合、Ｋ色のインクとは、淡インクではなく、標準の色の濃さでブラック色を示すインク（濃インク）のことである。また、本例において、ＣＭＹの各色のインクは、１次色のインクの一例である。そのため、このインク吐出部１０２については、１次色用のインク吐出部１０２等と考えることもできる。また、ＣＭＹの各色のインク用のインクジェットヘッド２０２を有するインク吐出部１０２は、第１のインク吐出部の一例である。また、ＣＭＹＫの各色のインク用のインクジェットヘッド２０２を有するインク吐出部１０２については、例えば、１次色及び３次色用のインク吐出部１０２等と考えることもできる。
【００３２】
また、搬送方向において上流側から２番目のヘッド部１２は、図中にアルファベットの記号で示すように、ブルー色（Ｂ色）、グリーン色（Ｇ色）、及びレッド色（Ｒ色）の各色用の複数のインクジェットヘッド２０２を有する。また、これらのインクジェットヘッド２０２は、図中に示すように、上記の順番で、搬送方向に沿って並べて配設される。また、この場合、ＢＧＲの各色のインクとは、淡インクではなく、標準の色の濃さでＢＧＲの各色を示すインク（濃インク）のことである。また、本例において、ＢＧＲの各色のインクは、２次色のインクの一例である。そのため、このインク吐出部１０２については、２次色用のインク吐出部１０２等と考えることもできる。また、ＢＲＧの各色のインク用のインクジェットヘッド２０２を有するインク吐出部１０２は、第２のインク吐出部の一例である。
【００３３】
また、搬送方向において上流側から３番目である搬送方向の最下流のヘッド部１２は、図中にアルファベットの記号で示すように、ライトブルー色（Ｌｂ色）、ライトグリーン色（Ｌｇ色）、ライトレッド色（Ｌｒ色）、及びライトブラック色（Ｌｂ色）の各色用の複数のインクジェットヘッド２０２を有する。この場合、Ｌｂ、Ｌｇ、Ｌｒ、及びＬｋの各色の各色のインクとは、ＢＧＲＫの各色の淡色用のインクのことであり、上記において説明をしたＢＧＲＫの各色と比べて薄い濃度で各色を示す。また、この場合、このヘッド部１２について、色の濃さが相対的に薄い淡インク用のインクジェットヘッド２０２のみを有するヘッド部１２等と考えることができる。
【００３４】
また、それぞれのヘッド部１２において、紫外線光源１０４は、媒体５０にインクを定着させる定着手段の一例であり、それぞれのヘッド部１２の中でインク吐出部１０２よりも下流側に配設されることにより、同じヘッド部１２内のインク吐出部１０２により媒体５０へ吐出されたインクに対し、エネルギー線の一例である紫外線を照射する。また、これにより、紫外線光源１０４は、媒体５０上のインクを直接加熱して、インク中の溶媒の少なくとも一部を除去する。紫外線光源１０４については、例えば、インクを加熱する加熱手段等と考えることもできる。また、紫外線光源１０４について、瞬間乾燥方式で用いる乾燥手段（瞬間乾燥手段）と考えることもできる。また、より具体的に、本例において、紫外線光源１０４は、インク中の溶媒の少なくとも一部を揮発除去することにより、少なくとも、媒体５０上で滲みが発生しない粘度にまでインクの粘度を高める。この場合、媒体５０上で滲みが発生しないとは、例えば、下流側のヘッド部１２により媒体５０上に更にインクが吐出された場合において、そのインク（液体状態のインク）と接触しても実質的に滲み（色間滲み）が発生しないことである。また、実質的に滲みが発生しないとは、例えば、印刷に求められる品質に応じて、問題となる滲みが発生しないことである。また、より具体的に、本例において、紫外線光源１０４は、媒体５０上のインクへ紫外線を照射することにより、少なくとも、ラインプリンタの構成においてその上に次の色のインクを重ねられる程度にまで、インクを乾燥させる。また、紫外線光源１０４としては、例えば、紫外線を発生するＬＥＤ（ＵＶＬＥＤ）を好適に用いることができる。この場合、インクが吸収する波長範囲に合わせた波長の紫外線を発生するＵＶＬＥＤを用いることが好ましい。
【００３５】
ここで、印刷装置１０の全体でのインク吐出部１０２の配置を考えた場合、複数のインク吐出部１０２は、搬送方向に沿って並ぶことになる。また、この場合、それぞれのインク吐出部１０２における複数のインクジェットヘッド２０２は、搬送方向に沿って並べて配設される。また、複数のインク吐出部１０２のそれぞれにおける紫外線光源１０４は、インク吐出部１０２の合間と、搬送方向における一番下流側のインク吐出部１０２の更に下流側に配設されることになる。そして、このような構成により、それぞれの紫外線光源１０４は、いずれかのインク吐出部１０２に対して搬送方向の下流側に配設されることで、一つのインク吐出部１０２における複数のインクジェットヘッド２０２と対向する位置を媒体５０が通過した後に、そのインク吐出部１０２により吐出されたインクを媒体５０に定着させる。この場合、複数のインクジェットヘッド２０２と対向する位置を媒体５０が通過するとは、媒体５０の各部がその位置を通過することである。また、一つのインク吐出部１０２における複数のインクジェットヘッド２０２と対向する位置を媒体５０が通過した後にインクを媒体５０に定着させるとは、例えば、インクを定着させるための動作について、媒体５０の各部が一つのインク吐出部１０２における複数のインクジェットヘッド２０２と対向する位置を通過した後に実行することである。このように構成すれば、例えば、上記においても説明をしたように、それぞれのヘッド部１２において媒体５０へ吐出したインクについて、次のヘッド部１２の位置へ媒体５０の各部が到達する前に、媒体５０に適切に定着させることができる。
【００３６】
また、図中に示した構成からわかるように、本例において、紫外線光源１０４は、同じヘッド部１２内のインク吐出部１０２が有する複数のインクジェットヘッド２０２が並んでいる範囲では加熱を行わず、複数のインクジェットヘッド２０２が媒体５０へ吐出したインクに対して、インク吐出部１０２の下流側で、まとめて加熱を行う。この場合、複数のインクジェットヘッド２０２が並んでいる範囲では加熱を行わないとは、一つのインク吐出部１０２におけるインクジェットヘッド２０２の合間等において意図的な加熱を行わないことである。また、意図的な加熱を行わないとは、例えば、設計上、その領域での加熱を行わないことである。
【００３７】
この点に関し、従来の構成のライン型のインクジェットプリンタを用いる場合、異なる色のインクが液体の状態で接触すること等と防ぐために、通常、一つのインクジェットヘッドにより媒体の各位置に対して吐出されたインクについて、次のインクジェットヘッドと対向する位置へ到達する前に、インクの粘度を十分に高めることが必要になる。そのため、例えば蒸発乾燥型のインクを用いる場合には、搬送方向へ並ぶ複数のインクジェットの並びに対し、インクジェットヘッドの合間に必ず加熱手段等を設けることが必要になる。
【００３８】
これに対し、上記のように、本例においては、一つのインク吐出部１０２における複数のインクジェットヘッド２０２が媒体５０へ吐出したインクに対して、インク吐出部１０２の下流側で、紫外線光源１０４によりまとめて加熱を行う。そのため、一見すると、媒体５０上において互いに異なる色のインクが液体の状態で接触して、滲みが発生しやすい構成のようにも思われる。しかし、本例においては、一つのインク吐出部１０２における複数のインクジェットヘッド２０２として、所定の条件の複数色のインクを吐出する複数のインクジェットヘッド２０２を用いることで、このような問題の発生を適切に防いでいる。
【００３９】
より具体的に、本例において、それぞれのインク吐出部１０２におけるそれぞれのインクジェットヘッド２０２は、印刷の解像度に応じて設定される吐出位置に対してインクを吐出する。また、インクジェット方式で印刷を行う場合には、例えば、複数色のインクのドットを媒体５０上の同じ位置に形成することで、様々な色を表現する。そして、この場合、本例のように７色分版方式を用いるのではなく、例えば有彩色のインクとしてＹＭＣの３色のみを用いるとすれば、様々な色を表現するために、ＹＭＣの各色のインクについて、全ての組み合わせで、媒体５０上の同じ位置に２色以上のインクを重ねて吐出することが必要になる。そして、このような場合、ライン型のインクジェットプリンタの構成で異なる色のインクが液体の状態で接触することを適切に防ぐためには、インクジェットヘッドの合間に必ず加熱手段等を設けることが必要になる。
【００４０】
これに対し、本例のように、７色分版方式で印刷を行う場合、１次色であるＹＭＣの２色を組み合わせた２次色であるＲＧＢのインクが存在するため、ＹＭＣの各色のインクについて、原理上、媒体５０上の同じ位置に吐出する必要がなくなる。また、この場合、１次色の各色は、２次色の２色を組み合わせた色になっている。そのため、ＲＧＢの各色のインクについても、原理上、媒体５０の同じ位置に吐出する必要がなくなる。また、この場合、３次色であるＫ色のインクについても、通常、他の色のインクと媒体５０上の同じ位置に吐出する必要がないインクと考えることができる。
【００４１】
また、上記においても説明をしたように、本例においては、ＢＧＲＫの各色について、濃インク及び淡インクを用いる。そして、この場合、同じ色の濃インク及び淡インクについては、原理上、同じ吐出位置へ吐出される可能性のあるインクになる。これに対し、本例においては、上記においても説明をしたように、濃インク及び淡インクを用いる色について、濃インクを吐出するインクジェットヘッド２０２を有するインク吐出部１０２と、淡インクを吐出するインクジェットヘッド２０２を有するインク吐出部１０２とを異ならせている。
【００４２】
そして、この場合、本例の構成については、例えば、一つのインク吐出部１０２インク吐出部が有する複数のインクジェットヘッド２０２として、媒体５０上で混色させる必要がない色の組み合わせのインクジェットヘッド２０２を選択していると考えることができる。また、一つのインク吐出部１０２における複数のインクジェットヘッド２０２については、例えば、同じ吐出位置において異なる色のインクのドットが重ならないようにインクを吐出すると考えることもできる。そして、この場合、一つのインク吐出部１０２において、インクジェットヘッド２０２の合間に加熱手段等を設けなくても、搬送方向におけるインク吐出部１０２の下流側で紫外線光源１０４によりまとめて加熱を行えば、色間滲みの発生等を抑えつつ、複数のインクジェットヘッド２０２により媒体５０上へ吐出された複数色のインクを適切に乾燥させることができる。
【００４３】
また、この場合、それぞれのインク吐出部１０２において、インクジェットヘッド２０２の間隔（ヘッド間の距離）を大きく空けることなく、詰めた間隔で複数のインクジェットヘッド２０２を配設することが可能になる。また、例えばインクジェットヘッドの合間に必ず加熱手段等を設ける構成等と比べ、印刷装置１０の全体において必要となる加熱手段の数を大幅に低減することができる。そのため、本例によれば、例えば、ライン方式で７色分版方式のように多数のインクジェットヘッド２０２を用いる場合にも、装置の大型化やコストの上昇を適切に抑えることができる。また、これにより、高精細な印刷をより適切に行うことができる。また、より具体的に、本例においては、ライン型の構成で７色分版方式で印刷を行い、かつ、淡インクを更に用いる場合において、装置の大型化やコストの上昇を適切に抑えることが可能になっている。
【００４４】
また、ライン型の構成において、複数のインクジェットヘッド２０２により媒体５０上へ吐出された複数色のインクをまとめて乾燥させる場合、媒体５０上に液体の状態で存在するインクの量が多くなること等も考えられる。しかし、７色分版方式で印刷を行う場合、例えば、ＹＭＣＫの４色のみを用いて印刷を行う場合等と比べ、媒体５０へ着弾させるインクの量を大幅に低減することができる。また、上記においても説明をしたように、本例においては、インクとして、紫外線を照射することでインクを直接的に加熱できる瞬間乾燥型のインクを用いている。そして、この場合、媒体５０上に液体の状態で存在するインクの量が多い場合にも、インクを短時間で効率的に加熱することが可能になる。
【００４５】
また、インク吐出部１０２の構成については、上記に限らず、様々な変更を行うことができる。例えば、それぞれのインク吐出部１０２において、複数のインクジェットヘッド２０２が並ぶ順番（色の順番）は、図２に示した順番に限らず、様々に変更してもよい。また、印刷装置１０において、使用するヘッド部１２の数や、それぞれのヘッド部１２におけるインク吐出部１０２にどのような色用のインクジェットヘッド２０２を設置するか等についても、上記に限らず、様々に変更を行うことができる。
【００４６】
より具体的に、図２に示した構成においては、全てのヘッド部１２におけるインク吐出部１０２が、複数のインクジェットヘッド２０２を有している。しかし、印刷装置１０の変形例においては、例えば、一部のヘッド部１２のインク吐出部１０２として、一つのインクジェットヘッド２０２のみを有するインク吐出部１０２を用いてもよい。この場合も、他のヘッド部１２のインク吐出部１０２として複数のインクジェットヘッド２０２を有する構成を用いることで、多数のインクジェットヘッド２０２を用いる場合において、装置の大型化やコストの上昇を適切に抑えることができる。
【００４７】
続いて、印刷装置１０が備える複数のヘッド部１２の構成について、様々な変形例を説明する。図２は、複数のヘッド部１２の構成の変形例を示す図であり、一部のヘッド部１２のインク吐出部１０２として、一つのインクジェットヘッド２０２のみを有するインク吐出部１０２を用いる場合の構成の一例を示す。図２（ａ）、（ｂ）は、本変形例における複数のヘッド部１２の構成の一例を示す側面図及び上面図である。
【００４８】
尚、以下において説明をする点を除き、図２において、図１と同じ符号を付した構成は、図１における構成と同一又は同様の特徴を有する。また、図２に示した複数のヘッド部１２については、例えば、図１に示した構成における複数のヘッド部１２に代えて、図１に示した印刷装置１０において用いることが考えられる。この場合、印刷装置１０の各構成の動作等について、ヘッド部１２の構成の変化に合わせて適宜変更することが考えられる。
【００４９】
図中に示すように、本変形例において、複数のヘッド部１２のそれぞれにおけるインク吐出部１０２としては、ＣＭＹの各色用のインクジェットヘッド２０２を有するインク吐出部１０２、Ｋ色用のインクジェットヘッド２０２を有するインク吐出部１０２、ＢＧＲの各色用のインクジェットヘッド２０２を有するインク吐出部１０２、及びＢＧＲＫの淡色（Ｌｂ、Ｌｇ、Ｌｒ、Ｌｋ）用のインクジェットヘッド２０２を有するインク吐出部１０２を用いる。また、この場合、Ｋ色用のインクジェットヘッド２０２を有するインク吐出部１０２は、一つのインクジェットヘッド２０２のみを有するインク吐出部１０２になっている。そのため、この構成については、例えば、一部のヘッド部１２のインク吐出部１０２として、一つのインクジェットヘッド２０２のみを有するインク吐出部１０２を用いる構成等と考えることができる。
【００５０】
このように構成した場合も、ライン型の構成で７色分版方式で印刷を行い、かつ、淡インクを更に用いる場合において、装置の大型化やコストの上昇を適切に抑えることができる。また、本変形例においては、Ｋ色用のインク（Ｋ色の濃インク）用のインクジェットヘッド２０２について、他の色用のインクジェットヘッド２０２と異なるインク吐出部１０２に含めることで、例えばＫ色インクと他の色のインクとを媒体５０上の同じ位置に吐出することが必要になる場合にも、色間滲み等の発生を適切に抑えることができる。
【００５１】
図３は、複数のヘッド部１２の構成の更なる変形例を示す図であり、一部のヘッド部１２のインク吐出部１０２として、一つのインクジェットヘッド２０２のみを有するインク吐出部１０２を用いる場合の構成の他の例を示す。図３（ａ）、（ｂ）は、本変形例における複数のヘッド部１２の構成の一例を示す側面図及び上面図である。
【００５２】
尚、以下において説明をする点を除き、図３において、図１又は図２と同じ符号を付した構成は、図１又は図２における構成と同一又は同様の特徴を有する。また、図３に示した複数のヘッド部１２については、例えば、図１に示した構成における複数のヘッド部１２に代えて、図１に示した印刷装置１０において用いることが考えられる。この場合、印刷装置１０の各構成の動作等について、ヘッド部１２の構成の変化に合わせて適宜変更することが考えられる。
【００５３】
図中に示すように、本変形例において、複数のヘッド部１２のそれぞれにおけるインク吐出部１０２としては、ＣＭＹの各色用のインクジェットヘッド２０２を有するインク吐出部１０２、Ｋ色用のインクジェットヘッド２０２を有するインク吐出部１０２、ＢＧＲの各色用のインクジェットヘッド２０２を有するインク吐出部１０２、ＢＧＲの淡色（Ｌｂ、Ｌｇ、Ｌｒ）用のインクジェットヘッド２０２を有するインク吐出部１０２、及びＫの淡色（Ｌｋ）用のインクジェットヘッド２０２を有するインク吐出部１０２を用いる。
を用いる。また、この場合、Ｋ色用のインクジェットヘッド２０２を有するインク吐出部１０２、及びＬｋ色用のインクジェットヘッド２０２を有するインク吐出部１０２は、一つのインクジェットヘッド２０２のみを有するインク吐出部１０２になっている。そのため、この構成についても、例えば、一部のヘッド部１２のインク吐出部１０２として、一つのインクジェットヘッド２０２のみを有するインク吐出部１０２を用いる構成等と考えることもできる。
【００５４】
このように構成した場合も、ライン型の構成で７色分版方式で印刷を行い、かつ、淡インクを更に用いる場合において、装置の大型化やコストの上昇を適切に抑えることができる。また、本変形例においては、Ｋ色及びＬｋ用のインク（Ｋ色の濃インク及び淡インク）用のインクジェットヘッド２０２について、他の色用のインクジェットヘッド２０２と異なるインク吐出部１０２に含めることで、例えばＫ色又はＬｋ色のインクと他の色のインクとを媒体５０上の同じ位置に吐出することが必要になる場合にも、色間滲み等の発生を適切に抑えることができる。
【００５５】
また、複数のヘッド部１２の構成の更なる変形例においては、例えば、媒体５０上へ各色のインクが着弾する順番を考慮して、各色のインク用のインクジェットヘッド２０２を有するインク吐出部１０２の並び順を設定すること等も考えられる。より具体的に、例えば、ライン方式での印刷を行う場合、各色のインクのドットが順番に重なる構成であるため、より後で吐出するインクについて、粒状感への影響がより大きいと考えることができる。そのため、この場合、粒状感が目立ちやすくなる色のインクについて、他の色のインクよりも先に媒体へ吐出することが好ましい。
【００５６】
図４は、媒体５０上へ各色のインクが着弾する順番を考慮した場合の複数のヘッド部１２の構成の変形例を示す図である。図４（ａ）、（ｂ）は、このような変形例の構成をそれぞれ示す側面図である。
【００５７】
尚、以下において説明をする点を除き、図４において、図１〜３と同じ符号を付した構成は、図１〜３における構成と同一又は同様の特徴を有する。また、図４（ａ）、（ｂ）のそれぞれに示した複数のヘッド部１２については、例えば、図１に示した構成における複数のヘッド部１２に代えて、図１に示した印刷装置１０において用いることが考えられる。この場合、印刷装置１０の各構成の動作等について、ヘッド部１２の構成の変化に合わせて適宜変更することが考えられる。
【００５８】
ＹＭＣの各色のような１次色のインクを用いて減法混色法で様々な色を表現する場合において、２次色のインクを更に用いると、通常、２次色のインクの方が、１次色のインクよりも、粒状感が目立ちやすくなる。そのため、１次色の各色用のインクジェットヘッド２０２を有するインク吐出部１０２（１次色用のインク吐出部１０２）と、２次色の各色用のインクジェットヘッド２０２を有するインク吐出部１０２（２次色用のインク吐出部１０２）とを用いる場合、粒状感がより目立ちやすくなる２次色のインクの方が１次色のインクよりも先に媒体５０へ着弾するように、２次色用のインク吐出部１０２について、搬送方向において１次色のインク吐出部１０２よりも上流側に配設することが好ましい。
【００５９】
また、３次色であるＫ色のインク（Ｋ色の濃インク）を用いる場合、Ｋ色のインクについては、通常、特に粒状感への影響が大きくなる。そのため、この場合、Ｋ色用のインクジェットヘッド２０２を有するインク吐出部１０２（Ｋ色用のインク吐出部１０２）については、少なくとも、搬送方向における最下流以外の位置に配設することが好ましい。この場合、Ｋ色用のインク吐出部１０２について、搬送方向における最下流以外の位置に配設するとは、例えば、搬送方向において他のいずれかのインク吐出部１０２よりも上流側に配設することである。また、この場合、Ｋ色の淡インクであるＬｋ色用のインクジェットヘッド２０２を有するインク吐出部１０２についても、搬送方向における最下流以外の位置に配設することが好ましい。また、濃インク及び淡インクを用いる色について、同じ色の濃インクと淡インクとを比べた場合、濃インクの方が、粒状感への影響が大きいことになる。そのため、各色の濃インクを吐出するインクジェットヘッド２０２を有するインク吐出部１０２については、搬送方向において、同じ色の淡インクを吐出するインクジェットヘッド２０２を有するインク吐出部１０２よりも上流側に配設することが好ましい。以上のように構成すれば、例えば、印刷結果において粒状感が目立つことをより適切に防ぐことができる。また、この場合、具体的なヘッド部１２及びインク吐出部１０２等の構成としては、例えば、図４（ａ）、（ｂ）に示す構成を用いることが考えられる。
【００６０】
また、上記において説明をした構成については、例えば、インク吐出部１０２を単位にして、濃い色のインク用のインク吐出部１０２を搬送方向の上流側に配設し、薄い色のインク用のインク吐出部１０２を搬送方向の下流側に配設する構成等と考えることができる。また、この場合、粒状感をより適切に抑えるためには、それぞれのインク吐出部１０２においても、そのインク吐出部１０２が含む複数のインクジェットヘッド２０２について、粒状感が目立ちやすい濃い色用のインクジェットヘッド２０２が搬送方向においてより上流側になるように配設することが好ましい。
【００６１】
また、粒状感をより適切に抑えるためには、例えば、図４（ａ）、（ｂ）において共通に示しているように、１次色、２次色、及び３次色の濃インク用のインクジェットヘッド２０２の配置について、３次色用のインクジェットヘッド２０２を１次色用及び２次色用のインクジェットヘッド２０２よりも搬送方向の上流側に配設し、２次色用のインクジェットヘッド２０２を１次色用のインクジェットヘッド２０２よりも搬送方向の上流側に配設することが好ましい。また、この場合、各色の淡色用のインクジェットヘッド２０２については、印刷に求められる品質等に応じて、様々な位置に配設することが考えられる。より具体的に、３次色の淡インク（Ｌｋ色）用のインクジェットヘッド２０２については、例えば、２次色の淡インク用のインクジェットヘッド２０２よりも搬送方向の上流側において、図４（ａ）に示すように２次色の濃インク用のインクジェットヘッド２０２よりも搬送方向の上流側に配設することや、図４（ｂ）に示すように２次色の濃インク用のインクジェットヘッド２０２よりも搬送方向の下流側に配設すること等が考えられる。また、図示は省略したが、２次色の淡インク及び３次色の淡インク用のインクジェットヘッド２０２については、例えば、１次色の濃インク用のインクジェットヘッド２０２よりも搬送方向の下流側に配設すること等も考えられる。また、複数のヘッド部１２の構成の更なる変形例については、少なくとも一部の１次色（例えばＣ色及びＭ色）について、淡インク（例えば、Ｌｃ色及びＬｍ色のインク）を用いること等も考えられる。この場合、１次色の淡インク用のインクジェットヘッド２０２については、他の有色のインクジェットヘッド２０２よりも搬送方向の下流側に配設することが考えられる。
【００６２】
続いて、上記において説明をした各構成に関する補足説明等を行う。上記においても説明をしたように、７色分版方式で印刷を行う場合、例えば、ＹＭＣＫの４色のみを用いて印刷を行う場合等と比べ、媒体５０へ着弾させるインクの量を大幅に低減することが可能になる。また、例えば、媒体５０上の同じ位置に吐出する必要がないように互いに異なる色用の複数のインクジェットヘッド２０２を組み合わせることも可能になる。そして、上記において説明をした各構成では、このような性質を利用して、ライン方式での構成で多数のインクジェットヘッド２０２を用いる場合において、装置の大型化やコストの上昇を適切に抑えることを可能にしている。そこで、以下、インクジェットヘッドの配置と使用するインクの色との関係等について、更に詳しく説明をする。
【００６３】
図５は、ライン方式でのインクジェットヘッドの配置について説明をする図であり、図中にＬＰ−１〜６として示すように、本発明に対応する構成以外の参考例も含めて、ライン方式での様々なインクジェットヘッドの配置の例を示す。また、ＬＰ−１〜６として示す各構成において、色を示す文字と共に示す長方形は、文字で示す色のインクを吐出する一つのインクジェットヘッドを示す。また、文字Ｄを付して示す楕円は、インクを乾燥させる乾燥手段を示す。乾燥手段としては、例えば瞬間乾燥型のインクを加熱するための紫外線光源等を用いることが考えられる。また、より具体的に、図中にＬＰ−１〜６として示す構成（以下、ＬＰ−１〜６の構成等という）のうち、ＬＰ−１〜４の構成は、淡インクを用いない場合の構成の例である。また、ＬＰ−５〜６の構成は、淡インクを用いる場合の構成の例である。
【００６４】
また、これらの各構成のうち、ＬＰ−１の構成は、１次色であるＹＭＣの各色のインクのみを用いて印刷を行う３色分版方式でのインクジェットヘッド及び紫外線光源の配置の例を示す。ＬＰ−１の構成では、ＹＭＣの３色分のインクジェットヘッドを媒体の搬送方向へ並べて、その下流側に一つの紫外線光源を配設している。また、ＬＰ−２の構成は、１次色であるＹＭＣの各色のインクに加えて３次色であるＫ色を用いて印刷を行う４色分版方式でのインクジェットヘッド及び紫外線光源の配置の例を示す。ＬＰ−２の構成では、ＹＭＣＫの４色分のインクジェットヘッドを媒体の搬送方向へ並べて、その下流側に一つの紫外線光源を配設している。
【００６５】
また、ＬＰ−３〜４の構成は、１次色であるＹＭＣの各色、２次色であるＲＧＢの各色、及び３次色であるＫ色を用いて印刷を行う７色分版方式でのインクジェットヘッド及び紫外線光源の配置の例を示す。また、これらのうち、ＬＰ−３の構成は、全ての色用の色分のインクジェットヘッドを媒体の搬送方向へ並べて、その下流側に一つの紫外線光源のみを配設した構成である。また、ＬＰ−４の構成は、図１〜４を用いて上記において説明をした各構成と同様の観点で、色の次数毎に分けてインクジェットヘッドを並べて、それぞれの次数のインクジェットヘッドに対して紫外線光源を配設した構成である。
【００６６】
また、ＬＰ−５〜６の構成は、７色分版方式において更に淡色のインクを用いる場合のインクジェットヘッド及び紫外線光源の配置の例を示す。また、淡色のインクとしては、図中に示すように、ＭＣＲＧＢＫの各色（Ｙ色以外の各色）の淡色であるＬｍ、Ｌｃ、Ｌｒ、Ｌｇ、Ｌｂ、Ｌｋの各色インクを用いている。また、また、これらのうち、ＬＰ−５の構成は、全ての色用の色分のインクジェットヘッドを媒体の搬送方向へ並べて、その下流側に一つの紫外線光源のみを配設した構成である。また、ＬＰ−６の構成は、図１〜４を用いて上記において説明をした各構成と同様の観点で、色の次数毎及びインクの色の濃淡毎（濃インクと淡インク）に分けてインクジェットヘッドを並べて、それぞれのインクの並びに対して紫外線光源を配設した構成である。
【００６７】
また、上記のような様々な構成でのインクジェットヘッド及び紫外線光源の配置を考えた場合、印刷時に同じ色を印刷する条件でも、媒体上において未乾燥の状態で存在するインクの量の合計（プリント時未乾燥着弾総インク量）は、構成によって異なることになる。この場合、媒体上において未乾燥の状態で存在するインクの量とは、紫外線光源により紫外線を照射するまでの間にその前段にある複数のインクジェットヘッドにより単位面積に対して吐出されるインクの量のことである。
【００６８】
図６は、ＹＭＣの３色のインクのみを用いて様々な色を表現する場合について、各色のインクの吐出量の比率の例を示す。また、より具体的に、図６においては、Ｄａｔａ  Ａ〜Ｅとして示す５種類のデータに対応する色について、単位面積に対して吐出する各色の割合の例を示す。この場合、Ｄａｔａ  Ａ〜Ｅのそれぞれについては、例えば、ＹＭＣの各色のインクを組み合わせる比率を示すデータ等を考えることができる。また、この場合、図中に１００として示す割合は、１００％の濃度に対応する割合である。また、１００％の濃度とは、解像度に応じて設定される全ての吐出位置に対してインクを吐出する場合の割合のことである。図中に示すように、ＹＭＣの各色のインクの吐出量を様々な比率で変化させることで、様々な色を表現することができる。
【００６９】
図７は、インクジェットヘッドの配置とインクの色との関係の例を示す図であり、ＬＰ−１〜６の各構成でＤａｔａ  Ａ〜Ｅのそれぞれに対応する色を表現する場合について、媒体上において未乾燥の状態で存在するインクの量の例を示す。この場合、Ｄａｔａ  Ａ〜Ｅのそれぞれに対応する色とは、３色分版方式の場合にＤａｔａ  Ａ〜Ｅにより示される色と同じ色のことである。また、より具体的に、図７においては、淡インクの色の濃度を濃インクの色の濃度の１／２にした場合について、ＬＰ１−６の各構成によりライン方式での印刷（１パスプリント）で、Ｄａｔａ  Ａ〜Ｅのそれぞれに対応する色での塗りつぶしを行う場合について、媒体上において未乾燥の状態で存在することになるインクの量の合計の最大値を示す。この場合、未乾燥の状態で存在することになるインクの量の合計とは、各構成におけるそれぞれの紫外線光源で紫外線を照射するタイミングの直前において媒体上に液体の状態で存在するインクの合計量のことである。
【００７０】
また、図７においては、ＬＰ−１〜６のそれぞれに対応する分版方式である３色分版方式、４色分版方式、７色分版方式（淡色なし）、及び７色分版方式（淡色あり）で用いる各色のインクについて、Ｄａｔａ  Ａ〜Ｅにより示される色と同じ色を表現する場合に用いる各色のインクの使用量を示している。この場合、インクの使用量とは、図６に関連して上記において説明をした場合と同様に、解像度に応じて設定される全ての吐出位置に対してインクを吐出する場合を１００％として示す割合のことである。
【００７１】
図中に示すように、７色分版方式を用いることにより、媒体上において未乾燥の状態で存在することになるインクの量（以下、単に、インク合計量という）を低減できる。また、この場合、例えばＬＰ−４の構成を用いることで、使用するインクの種類が同じＬＰ−３の構成と比べて、インク合計量を顕著に低減することができる。しかし、例えばＬＰ−５の構成に対応する結果からわかるように、７色分版方式を用いる場合に、単に淡インクを追加すると、インク合計量が顕著に増加する。そして、この場合、滲みの問題が発生しやすくなると考えられる。これに対し、例えばＬＰ−６の構成を用いれば、淡インクを用いる場合にも、インク合計量の増加を適切に抑えることができる。また、より具体的に、この場合、インクの合計量について、１００％以下にすることができる。また、これにより、例えば、色間滲み等の発生を適切に抑えることが可能になる。また、これらの結果から、図１〜４等を用いて説明をした各構成により、淡インクを用いた７色分版方式での印刷を適切に行い得ることが理解できる。
【００７２】
続いて、印刷装置１０の各構成に関し、更なる補足説明や、変形例の説明等を行う。上記において説明をした各構成については、例えば、瞬間乾燥手段である紫外線光源１０４について、少なくとも１次色及び２次色に対して分け、かつ同じ色の濃インク及び淡インクに対しても分けて配置する構成等と考えることができる。また、上記において説明をした各構成に関しては、例えば、一つのインク吐出部１０２が有するインクジェットヘッド２０２により吐出されるインクの色の組み合わせについて、同じ紫外線光源１０４によりインクの乾燥が行われる群と考えることもできる。また、この場合、３次色については、１次色又は２次色と同じ群に含めてもよく、１次色及び２次色のいずれとも別の群に含めてもよい。また、インク吐出部１０２及びインクジェットヘッド２０２の配置については、上記以外にも、様々な変形を行うことが考えられる。例えば、求められる印刷の品質等によっては、図２に示した構成に対し、Ｋ色用のインクジェットヘッド２０２を有するインク吐出部１０２と紫外線光源１０４とで構成されるヘッド部１２について、搬送方向の最下流に配設すること等も考えられる。また、例えば１次色（例えばＣ色及びＭ色）の淡インク（例えば、Ｌｃ色及びＬｍ色のインク）を用いる場合、Ｌｃ色及びＬｍ色用のインクジェットヘッド２０２を有するインク吐出部１０２について、２次色用の淡インク用のインクジェットヘッド２０２を有するインク吐出部１０２と別に配設すること等も考えられる。この場合、例えば、３次色の淡色であるＬｋ色用のインクジェットヘッド２０２を１次色用のインクジェットヘッド２０２と同じインク吐出部１０２に含めてもよい。また、この場合、例えば、図１に示した構成に対し、搬送方向の上流側から３番目のヘッド部１２になる位置に、新たなヘッド部１２を追加することが考えられる。また、新たに追加したヘッド部１２におけるインク吐出部１０２として、Ｌｍ色、Ｌｃ色、及びＬｋ色用のインクジェットヘッド２０２を含むインク吐出部１０２を用いることが考えられる。この場合、図１において搬送方向の上流側から３番目にあったヘッド部１２については、例えば、そのヘッド部１２におけるインク吐出部１０２からＬｋ色用のインクジェットヘッド２０２を外した上で、搬送方向の上流側から４番目のヘッド部１２として用いる。
【００７３】
また、上記においては、各色のインクとして、主に、瞬間乾燥型のインクを用いる場合について、説明をした。しかし、各色のインクとしては、瞬間乾燥型以外のインクを用いることも考えられる。この場合、例えば、瞬間乾燥型以外の蒸発乾燥型のインクを用いることが考えられる。また、この場合、それぞれのヘッド部１２において、紫外線光源１０４に代えて、様々なヒータ等を用いることが考えられる。この場合、ヒータとは、例えば、媒体を加熱することで媒体と共にインクを加熱する加熱手段のことである。
【００７４】
また、インクとしては、蒸発乾燥型以外のインクを用いることも考えられる。この場合、例えば、紫外線の照射によって硬化する紫外線硬化型インク等を用いることが考えられる。紫外線硬化型インクとは、例えば、モノマー又はオリゴマー等の重合性の物質を含み、紫外線が照射させることで生じる重合反応により硬化するインクのことである。また、この場合、それぞれのヘッド部１２における紫外線光源１０４について、インクを硬化させるための紫外線光源として用いることが考えられる。
【００７５】
また、上記においては、主に、ＹＭＣＫＲＧＢの７色を用いて完全な７色分版方式で印刷を行う場合について説明をした。しかし、印刷に求められる品質等によっては、２次色のインクとしては、ＲＧＢの全ての色を用いるのではなく、ＲＧＢのうちの一部の色のみ（例えば、Ｒ色及びＧ色のみ等）を用いることも考えられる。また、Ｒ色のインクに変えて、例えばオレンジ色（ＯＲ色）のインク等を用いることも考えられる。また、印刷に使用するインクの色に関し、印刷に求められる品質等によっては、淡色のインクを使用せずに、濃インクのみを用いること等も考えられる。
【産業上の利用可能性】
【００７６】
本発明は、例えば印刷装置に好適に利用できる。
【符号の説明】
【００７７】
１０・・・印刷装置、１２・・・ヘッド部、１４・・・プラテン、１６・・・搬送駆動部、１８・・・赤外線ヒータ、２０・・・制御部、５０・・・媒体、１０２・・・インク吐出部、１０４・・・紫外線光源、２０２・・・インクジェットヘッド
【図１】
2020032678.tif 000003
【図２】
2020032678.tif 000004
【図３】
2020032678.tif 000005
【図４】
2020032678.tif 000006
【図５】
2020032678.tif 000007
【図６】
2020032678.tif 000008
【図７】
2020032678.tif 000009